(57)【要約】【課題】カードの収容されたトレイ等の挿抜物の挿抜の際に、コンタクトの座屈を防止することができるカードコネクタを提供すること。【解決手段】ハウジング１０の一方の面のカード収容部１３にカードの収容されたトレイ１４を挿抜して、内部のコンタクト３２に、カード１４ｂのパッド部を接離するようにしたカードコネクタにおいて、前記コンタクト３２の先端部に先端係止部２３を形成し、この先端係止部２３を、前記ハウジング１０他方の面に設けた係止凹部２４に潜らせ、前記コンタクト３２の復帰時に係止凹部２４に設けた係止突部２５に前記先端係止部２３を係止する。先端係止部２３は、Ｌ字形、Ｔ字形などとし、係止突部２５は、係止凹部２４内面に突出して形成する。【選択図】図１
2017059330.tif 000002
【特許請求の範囲】
【請求項１】
薄板状のハウジングの一方の面にカード収容部を形成し、前記ハウジングに形成した複数のコンタクト組み込み孔に、前記カード収容部に挿抜するカードのパッド部と接離するコンタクトを設けたカードコネクタにおいて、
前記コンタクトの先端部に先端係止部を形成し、この先端係止部を、前記ハウジングの他方の面に設けた係止凹部に移動自在に潜らせ、この係止凹部側に、前記コンタクトの復帰時に前記先端係止部を係止する係止突部を設けてなることを特徴とするカードコネクタ。
【請求項２】
先端係止部は、Ｌ字形とし、係止突部は、係止凹部内の一方側から突出して形成したことを特徴とする請求項１記載のカードコネクタ。
【請求項３】
先端係止部は、Ｔ字形とし、係止突部は、係止凹部内の両側から突出して形成したことを特徴とする請求項１記載のカードコネクタ。
【請求項４】
先端係止部は、長孔とし、係止突部は、係止凹部内の他方の面から突出して形成したことを特徴とする請求項１記載のカードコネクタ。
【請求項５】
複数個のコンタクトのうちの相隣る２個のコンタクトは、コンタクトの方向に直交する方向にわずかな間隔を置き、かつ、一方のコンタクトの弾性片部の先端部と他方のコンタクトの弾性片部の基端部が一部並列するように配置してなることを特徴とする請求項１，２，３又は４記載のカードコネクタ。
【発明の詳細な説明】
【技術分野】
【０００１】
本発明は、カードコネクタからカード（カード収容トレイ、カードアダプタを含む）を抜き取るときにカードコネクタ内部のコンタクトの座屈を防止するようにしたカードコネクタに関するものである。
【背景技術】
【０００２】
本出願人は、カードコネクタにおいて、カードの収容されたトレイを差し込むとき又は抜き取るときにコンタクトの先端部にカードの収容されたトレイや作業者の指先が干渉してコンタクト端子のコンタクト先端部に座屈、曲損などの損傷が発生するのを防止した発明をすでに提案した（特許文献１）。
図６（ｃ）は、カード収容トレイ１４ａのカード嵌め込み孔３１に２枚のｎａｎｏＳＩＭカード等のＩＣカード１４ｂが嵌め込まれている状態を示す。以下の説明で、符号１４は、ＩＣカード１４ｂがカード収容トレイ１４ａのカード嵌め込み孔３１に嵌め込まれているカードの収容されたトレイを指すものとする。
このカードの収容されたトレイ１４を挿抜する従来のカードコネクタ９を図６（ａ）（ｂ）に基づいて説明すると、ハウジング１０のカード支持部１１にシールドカバー２１を被せてカードの収容されたトレイ１４が挿抜されるカード収容部１３が形成される。前記カード支持部１１に、コンタクト１５がその基部をハウジング１０と一体に成型し、この基部からへ字形に折曲し、コンタクト１５のコンタクト先端部１８には、このコンタクト先端部１８をカード収容部１３側から覆うコンタクト先端保護部１６が形成されている。このコンタクト先端保護部１６は、下面から凹部１９が形成され、この凹部１９の傾斜面部２０に、コンタクト１５のコンタクト先端部１８が係止される。
【０００３】
このように構成されたカードコネクタ９にカードの収容されたトレイ１４を挿入すると、コンタクト１５の接点部１７に、カードの収容されたトレイ１４のカードのパッド部が接触し、接点部１７が押し下げられてコンタクト１５の先端部１８が基板１２の金属箔部２２に接触し、コンタクト１５が弾性変形する。
ここで、コンタクト１５のコンタクト先端部１８がコンタクト先端保護部１６の凹部１９に臨ませているので、カードの収容されたトレイ１４をカード収容部１３に差し込むとき又はカード収容部１３からカードの収容されたトレイ１４を抜き取るときに、コンタクト１５のコンタクト先端部１８にカードの収容されたトレイ１４や作業者の指先が干渉しない。このため、コンタクト１５の座屈、曲損などの損傷が発生するのを防止できる。
【先行技術文献】
【特許文献】
【０００４】
【特許文献１】特開２０１５−１３３２２２号公報
【発明の概要】
【発明が解決しようとする課題】
【０００５】
図６（ａ）（ｂ）において、カードの収容されたトレイ１４を差し込むときは、コンタクト１５は、カード１４ｂのパッド部で接点部１７を押し下げるので、コンタクト１５のコンタクト先端部１８がコンタクト先端保護部１６の凹部１９における傾斜面部２０から離れて基板１２の金属箔部２２に接触しながら図中のコンタクト１５ａのように凹部１９の奥の方へ摺動しつつ移動する。
しかし、カードの収容されたトレイ１４がｎａｎｏＳＩＭやｍｉｎｉＳＩＭのような小型のカードでは、トレイ１４ａに嵌め込んでカード収容部１３に差し込まれるが、差し込んだ後でカードの収容されたトレイ１４を抜き取るときは、トレイとカードの嵌め込み箇所やコンタクト１５の表面にバリ等の突起や傷が生じていると、コンタクト１５の傾斜部分にそのバリが引っかかる。接点部１７が押し下げられた状態では、コンタクト先端部１８が傾斜面部２０から外れており基板１２の上面をコンタクト先端部１８が摺動するので、コンタクト先端部１８は傾斜面部２０から抜け出してコンタクト１５は、図中のコンタクト１５ｂのように座屈する。
また、トレイ１４ａにカード１４ｂが嵌め込まれていないようなときは、接点部１７がカード嵌め込み孔３１に突出するので、コンタクト先端部１８が傾斜面部２０に係止していてもトレイを強引に抜き取ると、コンタクト１５がカード嵌め込み孔３１に引っかかって座屈することがあった。
さらに、カードアダプタの挿抜時やカード単体の挿抜時にも同様の問題があった。
【０００６】
本発明は、カードコネクタのカード収容部に、カード、カード収容トレイ、カードアダプタ等の挿抜物を挿抜する際に、収容された挿抜物がコンタクトに引っかかるようなことがあってもコンタクトが座屈するのを防止することのできるカードコネクタを提供することを目的とする。
【課題を解決するための手段】
【０００７】
本発明によるカードコネクタは、薄板状のハウジング１０の一方の面にカード収容部１３を形成し、前記ハウジング１０の他方の面に基板１２又は絶縁体を有し、前記ハウジング１０に形成した複数のコンタクト組み込み孔２７に、前記カード収容部１３に挿抜するカード１４ｂのパッド部と接離するへ字形のコンタクト３２を設けたカードコネクタにおいて、
前記コンタクト３２の先端部に先端係止部２３を形成し、この先端係止部２３を、前記ハウジング１０の他方の面に設けた係止凹部２４に移動自在に潜らせ、この係止凹部２４側に、前記コンタクト３２の復帰時に前記先端係止部２３を係止する係止突部２５を設けてなることを特徴とする。
【０００８】
実施例１では、先端係止部２３は、Ｌ字形とし、係止突部２５は、係止凹部２４内の一方側から突出して形成する。
実施例２では、先端係止部２３は、Ｔ字形とし、係止突部２５は、係止凹部２４内の両側から突出して形成する。
実施例３では、先端係止部２３は、長孔とし、係止突部２５は、係止凹部２４内の他方の面から突出して形成する。
【０００９】
また、各コンタクトのばねスパンをできるだけ大きくとるために、複数個のコンタクト３２のうちの相隣る２個のコンタクト３２は、コンタクト３２の方向に直交する方向にわずかな間隔を置き、かつ、一方の第１コンタクト３２ａの弾性片部３３の先端部と他方の第２コンタクト３２ｂの弾性片部３３の基端部２６が一部並列するように配置する。
【発明の効果】
【００１０】
請求項１記載の発明によれば、薄板状のハウジングの一方の面にカード収容部を形成し、前記ハウジングに形成した複数のコンタクト組み込み孔に、前記カード収容部に挿抜するカードのパッド部と接離するコンタクトを設けたカードコネクタにおいて、
前記コンタクトの先端部に先端係止部を形成し、この先端係止部を、前記ハウジングの他方の面に設けた係止凹部に移動自在に潜らせ、この係止凹部側に、前記コンタクトの復帰時に前記先端係止部を係止する係止突部を設けたので、
カード収容されたトレイ、カードアダプタ、カード単体を含む挿抜物のカード収容部内での挿抜時、特に抜き取り時に挿抜物のバリ等がコンタクトに引っかかっても先端係止部が係止突部に係止してコンタクトの座屈を防止することができる。
【００１１】
請求項２記載の発明によれば、先端係止部は、Ｌ字形とし、係止突部は、係止凹部内の一方側から突出して形成したので、簡単な構造で座屈を防止できる。
【００１２】
請求項３記載の発明によれば、先端係止部は、Ｔ字形とし、係止突部は、係止凹部内の両側から突出して形成したので、先端係止部が係止突部により確実に係止できる。
【００１３】
請求項４記載の発明によれば、先端係止部は、長孔とし、係止突部は、係止凹部内の他方の面から突出して形成したので、コンタクトのずれをなくしつつ座屈を防止できる。
【００１４】
請求項５記載の発明によれば、複数個のコンタクトのうちの相隣る２個のコンタクトは、コンタクトの方向に直交する方向にわずかな間隔を置き、かつ、一方のコンタクトの弾性片部の先端部と他方のコンタクトの弾性片部の基端部が一部並列するように配置したので、弾性片部のばねスパンを可能な限り長くでき、長期間の安定した弾性力を得ることができる。
【図面の簡単な説明】
【００１５】
【図１】本発明によるカードコネクタ９の実施例１を示すもので、（ａ）は、コンタクト３２をハウジング１０に取り付けた状態の一部の平面図、（ｂ）は、（ａ）の底面図、（ｃ）は、（ｂ）の一部の斜視図である。
【図２】図１（ａ）におけるＡ−Ａ線拡大断面図である。
【図３】本発明によるカードコネクタ９の実施例１を示すシールドカバー２１を外した平面図である。
【図４】本発明によるカードコネクタ９の実施例２を示すもので、（ａ）は、コンタクト３２をハウジング１０に取り付けた状態の一部の平面図、（ｂ）は、（ａ）の底面図である。
【図５】本発明によるカードコネクタ９の実施例３を示すもので、（ａ）は、コンタクト３２をハウジング１０に取り付けた状態の一部の平面図、（ｂ）は、（ａ）の底面図である。
【図６】従来のカードコネクタ９を示すもので、（ａ）は、カードコネクタ９の縦断面図、（ｂ）は、（ａ）におけるＢ部分の拡大断面図、（ｃ）は、トレイ１４ａにカード１４ｂを嵌め込んだ正面図である。
【発明を実施するための形態】
【００１６】
薄板状のハウジング１０の一方の面にカード収容部１３を形成し、前記ハウジング１０の他方の面に基板１２又は絶縁体を有し、前記ハウジング１０に形成した複数のコンタクト組み込み孔２７に、前記カード収容部１３に挿抜するカード１４ｂのパッド部と接離するへ字形のコンタクト３２を設けたカードコネクタにおいて、
前記コンタクト３２の先端部に先端係止部２３を形成し、この先端係止部２３を、前記ハウジング１０の他方の面に設けた係止凹部２４に移動自在に潜らせ、この係止凹部２４側に、前記コンタクト３２の復帰時に前記先端係止部２３を係止する係止突部２５を設けてなる。
【００１７】
実施例１では、先端係止部２３は、Ｌ字形とし、係止突部２５は、係止凹部２４内の一方側から突出して形成する。
実施例２では、先端係止部２３は、Ｔ字形とし、係止突部２５は、係止凹部２４内の両側から突出して形成する。
実施例３では、先端係止部２３は、長孔とし、係止突部２５は、係止凹部２４内の他方の面から突出して形成する。
【００１８】
コンタクトのばねスパンをより長くして安定した弾性力を得るために、複数個のコンタクト３２のうちの相隣る２個のコンタクト３２は、コンタクト３２の方向に直交する方向にわずかな間隔を置き、かつ、一方の第１コンタクト３２ａの弾性片部３３の先端部と他方の第２コンタクト３２ｂの弾性片部３３の基端部２６が一部並列するように配置する。
【実施例１】
【００１９】
以下、本発明によるカードコネクタ９の実施例１を図１〜図３に基づき説明する。
図３は、本発明によるカードコネクタ９の実施例１を示すシールドカバー２１を外した平面図で、図１及び図２は、この図３における第１コンタクト３２ａを抜き出した拡大図である。
これらの図１及び図２において、１０は、ハウジングで、このハウジング１０の大きさは、２枚のＩＣカード１４ｂがカード収容トレイ１４ａのカード嵌め込み孔３１に嵌め込まれているものを差し込める大きさであるとする。１枚のＩＣカード１４ｂには、６個ずつのコンタクト３２が設けられている例を示す。
【００２０】
前記ハウジング１０の一方の面には、隙間をもってシールドカバー２１が被せられ、この隙間がカード収容部１３を構成している。また、ハウジング１０の他方の面には、基板１２又は絶縁体が設けられている。
なお、以下の例では、カード収容部１３には、ＩＣカード１４ｂの収容されているカード収容トレイ１４ａが挿抜される場合を示しているが、カードアダプタ、カード単体を含む挿抜物が挿抜される場合を含むものとする。
前記ハウジング１０の一方の面のコンタクト３２は、１枚のＩＣカード１４ｂにつき左右対称形に３個ずつ６個が配置され、それぞれ手前側から第１コンタクト３２ａ，第２コンタクト３２ｂ，第３コンタクト３２ｃとする。
【００２１】
前記第１コンタクト３２ａを、図１（ａ）（ｂ）（ｃ）に基づき詳細に説明すると、ハウジング１０に、上下貫通した細長いコンタクト組み込み孔２７を形成し、このコンタクト組み込み孔２７の図中下端部の一方の面に台座部３０を形成し、図中上端部の他方の面に係止凹部２４を形成する。前記コンタクト組み込み孔２７の中央部には、へ字形の弾性片部３３を臨ませ、下端部の基端部２６を前記台座部３０の上に載せ、この基端部２６から左右に前記弾性片部３３に沿ってアーム部２８を折り返し延長し、このアーム部２８の先端の外側に延ばした埋め込み端部２９をハウジング１０の成型時に埋め込み固定する。前記弾性片部３３の中央部には、接点部１７を設け、また、弾性片部３３の先端部を左方向にＬ字形に屈曲して先端係止部２３とし、この先端係止部２３は、ハウジング１０の他方の面側に潜らせ、前記係止凹部２４に位置させる。この係止凹部２４には、前記先端係止部２３が係止する係止突部２５が係止凹部２４の内方に突出し、かつ、係止突部２５の他方の面が前記基板１２又は絶縁体に隙間なく接して設けられ、また、係止凹部２４には、先端係止部２３が摺動して移動するための隙間を有する。
【００２２】
前記第２コンタクト３２ｂは、第１コンタクト３２ａの左側のアーム部２８と埋め込み端部２９を削除し、右側のアーム部２８と埋め込み端部２９だけを有する形状で、第１コンタクト３２ａの右隣（コンタクト３２の方向に直交する方向）にわずかな間隔を置き、かつ、第１コンタクト３２ａの弾性片部３３の先端部と第２コンタクト３２ｂの弾性片部３３の基端部２６が一部並列するように配置し、先端係止部２３は右方向に屈折している。
同様に、前記第３コンタクト３２ｃは、第１コンタクト３２ａの右側のアーム部２８と埋め込み端部２９を削除し、左側のアーム部２８と埋め込み端部２９だけを有する形状で、第２コンタクト３２ｂの左隣にわずかな間隔を置き、かつ、第２コンタクト３２ｂの弾性片部３３の先端部と第３コンタクト３２ｃの弾性片部３３の基端部２６が一部並列するように配置し、先端係止部２３は左方向に屈折している。
【００２３】
このように、第１コンタクト３２ａと第２コンタクト３２ｂと第３コンタクト３２ｃを一直線ではなく、互い違いで、一部並行する位置に配置することにより、それぞれの弾性片部３３の長さをより長く形成して、コンタクト３２の弾性力が確実に得られるようにすることができる。なお、この場合、それぞれの接点部１７は、カードの収容されたトレイ１４のカード１４ｂのパッド部からはみ出さないようにすることが必要である。
【００２４】
図３において、右下に３個のコンタクト３２がハウジング１０に設けられているが、同様に、左下に３個のコンタクト３２が右下と対称形に設けられ、６個のコンタクト３２で１枚のＩＣカード１４ｂに対応する。図３における右上と左上も同様にして３個ずつ６個のコンタクト３２が設けられ、他の１枚のＩＣカード１４ｂに対応する。
【００２５】
以上のような構成による作用を説明する。
図２において、カードコネクタ９のカード収容部１３にカードの収容されたトレイ１４を差し込む前は、コンタクト３２の実線のように立ち上がっており、コンタクト３２の先端係止部２３は係止突部２５に係止している。
ここで、カード収容トレイ１４ａのカード嵌め込み孔３１にＩＣカード１４ｂを嵌め込み、カードコネクタ９のカード収容部１３に差し込む。すると、カード１４ｂのパッド部にコンタクト３２の接点部１７が接触して押し下げられ、先端係止部２３が基板１２の金属箔部２２を摺動して係止凹部２４の隙間内に押し込まれる。このとき、第１コンタクト３２ａは、基端部２６が台座部３０に載せられているだけで、弾性片部３３の基端部２６で両側から折り返したアーム部２８の先端の埋め込み端部２９でハウジング１０に固定され、かつ、第２コンタクト３２ｂと一部並行する位置に配置されているので、ばねスパンが長くなり、第１コンタクト３２ａとしての長期間の安定した弾性力が得られる。
【００２６】
また、第２コンタクト３２ｂと第３コンタクト３２ｃも同様に、基端部２６が台座部３０に載せられているだけで、弾性片部３３の基端部２６で片側から折り返したアーム部２８の先端の埋め込み端部２９でハウジング１０に固定され、かつ、第１コンタクト３２ａと第２コンタクト３２ｂと第３コンタクト３２ｃが一直線ではなく、互い違いで、一部並行する位置に配置することにより、それぞれの弾性片部３３のばねスパンが長くなり、第２コンタクト３２ｂと第３コンタクト３２ｃとしての長期間の安定した弾性力が得られる。
【００２７】
図１における左下の３個のコンタクト３２、右上、左上のそれぞれの３個のコンタクト３２についても同様に長期間の安定した弾性力が得られる。
【００２８】
ここで、カードの収容されたトレイ１４を引き抜くときに、トレイ１４ａの下面のバリ等の突起や傷が生じていて、コンタクト３２の弾性片部３３の部分にそのバリが引っかかり、コンタクト３２が引き抜かれようとする。しかし、コンタクト３２が押し下げられた状態では、コンタクト３２の先端係止部２３が係止突部２５に係止し、引き抜かれることはなく、引っかかった部分がすぐに外れてコンタクト３２の座屈を防止することができる。
なお、カードの収容されたトレイ１４の差し込みと引き込み動作は、ハートカムロック機構を有するプッシュ・プッシュタイプでもよいし、このような機構のないプッシュ・プルタイプであってもよい。
【実施例２】
【００２９】
前記実施例１では、コンタクト３２の先端係止部２３の形状をＬ字形としたが、これに限られるものではなく、図４（ａ）（ｂ）に示すように、先端係止部２３の先端をＴ字形とし、係止凹部２４の内側に両側から突出させて形成した係止突部２５に係止するようにしてもよい。
【実施例３】
【００３０】
前記実施例１では、コンタクト３２の先端係止部２３の形状をＬ字形とし、前記実施例２では、Ｔ字形としたが、これらの例に限られるものではなく、図５（ａ）（ｂ）に示すように、先端係止部２３に丸、角、切欠きなどの長孔を設け、この長孔に遊嵌しつつ係止する突起等の係止突部２５を設けてもよい。
【００３１】
前記実施例では、ＩＣカードのパッド数が６個で、カードコネクタのコンタクト数も６個の場合を例示したが、本発明は、ＩＣカードの種類、外形寸法、パッドの数などに限定されるものではない。また、カード収容トレイ、カードアダプタの有無、形状等に限定されるものではない。
【符号の説明】
【００３２】
９…カードコネクタ、１０…ハウジング、１１…カード支持部、１２…基板、１３…カード収容部、１４…カード収容されたトレイ、１５…コンタクト、１６…コンタクト先端保護部、１７…接点部、１８…コンタクト先端部、１９…凹部、２０…傾斜面部、２１…シールドカバー、２２…金属箔部、２３…先端係止部、２４…係止凹部、２５…係止突部、２６…基端部、２７…コンタクト組み込み孔、２８…アーム部、２９…埋め込み端部、３０…台座部、３１…カード嵌め込み孔、３２…コンタクト、３３…弾性片部。
【図１】
2017059330.tif 000003
【図２】
2017059330.tif 000004
【図３】
2017059330.tif 000005
【図４】
2017059330.tif 000006
【図５】
2017059330.tif 000007
【図６】
2017059330.tif 000008